(57)【要約】【課題】  使用価値を高めた充電器の提供。【解決手段】  相互に接合され一体とされた第１ケース、第２ケース、及び第１、２ケースの間に組付けられた回路板を具え、第１、２ケースに偶数個の電池充電溝が設けられ、各充電溝中に電池のプラス極とマイナス極に接触する第１、２バネ片と第３、４バネ片が設けられ、各バネ片が接触部とソルダー部を具え、回路板の回路システムが相互に連通し且つ各充電溝のバネ片と連通する交流直流変換回路、充電回路、電源出力と入力回路、電源出力と入力回路と連通する電源入力ソケットと電源出力ソケットを具え、このような構造により、二次電池に対する充電のみならず、電源コードを外接して該電源コードと連通する電器製品に充電でき、充電器の使用価値が高められている。【選択図】        図１
0003108520.tif 000002
【実用新案登録請求の範囲】
【請求項１】
充電器において、該充電器は第１ケース、第２ケース、及び回路板を具え、そのうち、  第１ケースは偶数個の電池充電溝を具え、各電池充電溝に電池のプラス極とマイナス極と接触する第１バネ片と第２バネ片が設けられ、各バネ片が接触部とソルダー部を具え、  該第２ケースは第１ケースと接合され一体とされ、
該回路板は、第１ケースと２ケースの間に組付けられ、回路システムを具え、該回路システムは、相互に連通し且つ各電池充電溝の第１、第２バネ片のソルダー部と連通する交流直流変換回路、充電回路、昇圧回路、光源指示回路を具えていることを特徴とする、充電器。
【請求項２】
請求項１記載の充電器において、第１バネ片の接触部は電池充電溝に内縮し、第２バネ片の接触部は電池充電溝より突出し、この内縮した第１バネ片の接触部が二次電池の設置方向エラーを防止する機能を具えたことを特徴とする、充電器。
【請求項３】
請求項２記載の充電器において、電源入力ソケットが、一端が自動車のシガレットライタソケットに接続可能な電源コードとの接続に供されるか、一端が屋内コンセントに接続可能な電源コードとの接続に供されることを特徴とする、充電器。
【請求項４】
請求項３記載の充電器において、電源出力ソケットが、一端が携帯電話に接続された電源コードと接続可能とされたことを特徴とする、充電器。
【請求項５】
請求項４記載の充電器において、回路システムが、導光柱を導通させる光源指示回路を具え、第１ケースに導光柱に対応する穿孔が設けられたことを特徴とする、充電器。
【請求項６】
請求項５記載の充電器において、第２ケースに偶数個の電池充電溝が設けられ、各電池充電溝に電池のプラス極とマイナス極に接触する第３バネ片と第４バネ片が設けられ、各バネ片が接触部とソルダー部を具えたことを特徴とする、充電器。
【請求項７】
請求項６記載の充電器において、第１ケースと第２ケースに設けられる電池充電溝がそれぞれ２個であることを特徴とする、充電器。
【請求項８】
請求項１記載の充電器において、回路システムに直流電源を昇圧する昇圧回路が更に設けられたことを特徴とする、充電器。
【考案の詳細な説明】
【技術分野】
【０００１】
本考案は一種の充電器に係り、特に室内コンセント或いは車内シガレットライタソケットを利用して二次電池に対する充電を行なえ、並びに充電完成後に、携帯電話の電力を提供するか、或いは充電後の電池を取り出して直接電力を必要とする器具、例えば電動玩具、リモコン、懐中電灯等に取り付けて、便利で実用的な効果を達成する充電器に関する。
【背景技術】
【０００２】
周知のとおり、充電式電器製品に対する電力補充方式は、大きく二種類に分けられる。すなわち、電池を交換するか充電する方式である。そのうち電池交換は使い捨ての便利性を有しているが、不経済である。このため、一般の電気製品は直接充電ができるほか、再充電可能な二次電池を提供して循環使用可能とし、経済性に符合するものとされている。そのうち、二次電池に対する充電方式は、現在の電器製品では、本機或いは充電器を以て行なわれる。しかし、どの形式で充電を行なうにしても、いずれも屋内でなければ行なえないことが残念な点である。
【０００３】
更に、携帯電話の使用率は相当に普及しており、現在ほぼ一人が一台を所有しているが、携帯電話の電力供給は消費者にとって極めて切実な問題である。しかし、携帯電話はメーカーにより異なる設計形式と規格を有し、二次電池も対応メーカーのものでなければならず、一般には共用できない。ゆえに、電力供給の便利性は理想的ではない。
【考案の開示】
【考案が解決しようとする課題】
【０００４】
本考案の目的は、二次電池に対して充電が行なえるのみならず、電源コードを外接して直接該電源コードと連通する電器製品に対する充電が行なえ、充電器の使用価値が高められた一種の充電器を提供することにある。
【０００５】
また、本考案の別の目的は、屋内コンセント或いは車内のシガレットライタソケットを利用して充電が行なえる充電器を提供して充電器による充電を屋内に限らず行なえるようにすることにある。
【０００６】
以上の目的を達成するため、本考案の充電器は、充電器に該充電器の回路と接続された電源入力ソケットと電源出力ソケットが設けられて、電源コードを外接して電源の入力と出力を行なえることを特徴とするものとされる。
【課題を解決するための手段】
【０００７】
請求項１の考案は、充電器において、該充電器は第１ケース、第２ケース、及び回路板を具え、そのうち、第１ケースは偶数個の電池充電溝を具え、各電池充電溝に電池のプラス極とマイナス極と接触する第１バネ片と第２バネ片が設けられ、各バネ片が接触部とソルダー部を具え、
該第２ケースは第１ケースと接合され一体とされ、
該回路板は、第１ケースと２ケースの間に組付けられ、回路システムを具え、該回路システムは、相互に連通し且つ各電池充電溝の第１、第２バネ片のソルダー部と連通する交流直流変換回路、充電回路、昇圧回路、光源指示回路を具えていることを特徴とする、充電器としている。
請求項２の考案は、請求項１記載の充電器において、第１バネ片の接触部は電池充電溝に内縮し、第２バネ片の接触部は電池充電溝より突出し、この内縮した第１バネ片の接触部が二次電池の設置方向エラーを防止する機能を具えたことを特徴とする、充電器としている。
請求項３の考案は、請求項２記載の充電器において、電源入力ソケットが、一端が自動車のシガレットライタソケットに接続可能な電源コードとの接続に供されるか、一端が屋内コンセントに接続可能な電源コードとの接続に供されることを特徴とする、充電器としている。
請求項４の考案は、請求項３記載の充電器において、電源出力ソケットが、一端が携帯電話に接続された電源コードと接続可能とされたことを特徴とする、充電器としている。
請求項５の考案は、請求項４記載の充電器において、回路システムが、導光柱を導通させる光源指示回路を具え、第１ケースに導光柱に対応する穿孔が設けられたことを特徴とする、充電器としている。
請求項６の考案は、請求項５記載の充電器において、第２ケースに偶数個の電池充電溝が設けられ、各電池充電溝に電池のプラス極とマイナス極に接触する第３バネ片と第４バネ片が設けられ、各バネ片が接触部とソルダー部を具えたことを特徴とする、充電器としている。
請求項７の考案は、請求項６記載の充電器において、第１ケースと第２ケースに設けられる電池充電溝がそれぞれ２個であることを特徴とする、充電器としている。
請求項８の考案は、請求項１記載の充電器において、回路システムに直流電源を昇圧する昇圧回路が更に設けられたことを特徴とする、充電器としている。
【考案の効果】
【０００８】
本考案の充電器は、二次電池に対して充電が行なえるのみならず、電源コードを外接して直接該電源コードと連通する電器製品に対する充電が行なえ、また、本考案の充電器は、屋内コンセント或いは車内のシガレットライタソケットを利用して充電が行なえ、充電器の使用価値が高められている。
【考案を実施するための最良の形態】
【０００９】
図１、２に示されるように、本考案の充電器１は、第１ケース２、第２ケース３、及び回路板４を具え、そのうち、第１ケース２に二つの電池充電溝２０、２１が設けられ、各電池充電溝２０、２１に電池のプラス極とマイナス極と接触する第１バネ片２２と第２バネ片２３が設けられ、各バネ片が二次電池のプラス極／マイナス極と接触する接触部２２１、２３１と、回路板４に半田付けされるソルダー部２２２、２３２を具えている。図３、４に示されるように、第１バネ片２２の接触部２２１は電池充電溝２０に内縮し、第２バネ片２３の接触部２３１は電池充電溝２０よりやや突出し、内縮した第１バネ片２２の接触部２２１は二次電池７の設置方向エラーを防止する効果を有し、図４に示されるように、該二次電池７が間違った方向に設置されると、マイナス極とギャップｔが保持されて接触部２２１と接触不能となるため、電源が導通しない。図３は設置方向が正確な状態を示し、この時電源は導通する。
【００１０】
第２ケース３は第１ケース２と突き合わされて一体とされ、それに二つの電池充電溝３０、３１が設けられ、且つ各電池充電溝に電池のプラス極とマイナス極と接触する第３、４バネ片３２、３３が設けられている。
【００１１】
回路板４は、第１、２ケース２、３の間に組付けられ、それに回路システム（図示せず）が設けられ、それは相互に連通し且つ各電池充電溝の第１、第２バネ片のソルダー部と連通する交流直流変換回路、充電回路、昇圧回路、光源指示回路が設けられ、これら回路は一般的な回路であるため説明は省略する。注意すべきことは、該回路システム中に更に電源入力と出力回路が設けられて相互に連通する電源入力ソケット４０を提供して、該電源入力ソケット４０は、一端が自動車のシガレットライタソケットに挿入可能な電源コード５との接続に供される。また、電源出力ソケット４１が設けられて、該電源出力ソケット４１は一端が携帯電話と接続可能な電源コード６との接続に供される。図５と図２を併せて参照されたい。本考案の充電器は外接された電源コード５により自動車内での充電が行なえ、充電完成の後、外接された電源コード６により直接携帯電話と接続可能で、携帯電話に対して充電を行なえる。或いは二次電池７を取り外して二次電池７を電動玩具、リモコン、懐中電池等に組み付けて使用することができる。
【００１２】
総合すると、本考案の充電器は確実に本考案の目的を達成でき、実用新案登録の要件を具備している。なお、以上の説明は本考案の範囲を限定するものではなく、本考案に基づきなしうる細部の修飾或いは改変は、いずれも本考案の請求範囲に属するものとする。
【図面の簡単な説明】
【００１３】
【図１】本考案の充電器の立体分解図である。
【図２】図１の組合せ立体図である。
【図３】本考案の充電器の充電状態の局部断面図である。
【図４】本考案の充電器の二次電池が間違った状態に設置されて導通不能である状態の局部断面図である。
【図５】本考案の充電器のブロックフローチャートである。
【符号の説明】
【００１４】
１  充電器              ２  第１ケース
３  第２ケース          ４  回路板
５、６  電源コード      ７  二次電池
２０、２１、３０、３１  電池充電溝
２２  第１バネ片        ２３  第２バネ片
３２  第３バネ片        ３３  第４バネ片
２２１、２３１  接触部  ２２２、２３２  ソルダー部
４０  電源入力ソケット  ４１  電源出力ソケット
ｔ  ギャップ
【図１】
0003108520.tif 000003
【図２】
0003108520.tif 000004
【図３】
0003108520.tif 000005
【図４】
0003108520.tif 000006
【図５】
0003108520.tif 000007